(57)【要約】      （修正有）【課題】一つの操作部材を用いてダストボックスを開放させたりダストボックスを本体から分離できる掃除機を提供する。【解決手段】本発明の掃除機は、外形を形成する本体、前記本体に分離可能に結合され、空気から分離された埃を貯蔵するダストボックス、ダストボックスを開閉するダストボックスカバー、ダストボックスの後方に位置するハンドル部３、および第１方向の移動によってダストボックスカバーに操作力を提供でき、第１方向と反対方向である第２方向移動によって本体からダストボックスが分離されることを制限する制限機構を作動させて制限機構の制限が解除されるようにする操作部材を含む。【選択図】図３３
2020127806.tif 000002
【特許請求の範囲】
【請求項１】
掃除機であって、
一側が第１サイクロン部を形成し、他側が前記第１サイクロン部から分離された埃を貯蔵するダストボックスを形成する第１ボディと、
前記第１サイクロン部から排出された空気から埃を分離し、少なくとも一部が前記第１ボディ内に位置される第２サイクロン部と、
吸入力を発生させるための吸入モータを収容し、前記第１サイクロン部を基準として前記ダストボックスの反対側に位置される第２ボディと、
前記第２ボディに分離可能に結合され、前記吸入モータを通った空気が排出される空気排出口を有するフィルタ機構と、を備えてなり、
前記フィルタ機構が前記第２ボディに結合された状態で、前記フィルタ機構の一部は前記第２ボディの外側に位置され、
前記第１ボディは、前記第２ボディと前記第２サイクロン部が連結されている状態で、前記第１サイクロン部のサイクロン流動の軸と平行する方向に前記第２サイクロン部と分離される、掃除機。
【請求項２】
前記第１サイクロン部のサイクロン流動の軸は、前記吸入モータを貫通するように配置される、請求項１に記載の掃除機。
【請求項３】
前記ダストボックスをカバーするダストボックスカバーをさらに備え、
前記第１ボディは、前記ダストボックスカバーと一緒に分離される、請求項１に記載の掃除機。
【請求項４】
前記吸入モータの軸と平行する方向に前記第１ボディが分離される、請求項１に記載の掃除機。
【請求項５】
前記第１ボディ内に位置されるフィルタ部材と、
前記フィルタ部材の下側に連結される埃貯蔵ガイドとをさらに備え、
前記フィルタ部材と前記埃貯蔵ガイドが前記第２サイクロン部と連結されている状態で、前記第１ボディが分離される、請求項１に記載の掃除機。
【請求項６】
前記第１サイクロン部のサイクロン流動の軸の延長方向に、前記ダストボックス、前記第２サイクロン部、及び前記吸入モータが順次配列される、請求項１に記載の掃除機。
【請求項７】
掃除機であって、
一側が埃を分離するための第１サイクロン部を形成し、他側が第１サイクロン部から分離された埃を貯蔵するダストボックスを形成する第１ボディと、吸入力を発生させるための吸入モータが収容される第２ボディとを備える本体と、
前記本体に連結されるハンドル部と、
前記第１サイクロン部から排出された空気から埃を分離する第２サイクロン部と、
前記第２ボディに分離可能に結合され、前記吸入モータを通った空気が排出される空気排出口を有するフィルタ機構と、を備えてなり、
前記フィルタ機構が前記第２ボディに結合された状態で、前記フィルタ機構の一部は前記第２ボディの外側に位置され、
前記第１ボディは、前記第２ボディと前記第２サイクロン部が連結されている状態で、前記第１サイクロン部のサイクロン流動の軸と平行する方向に前記第２サイクロン部と分離される、掃除機。
【請求項８】
前記吸入モータは、回転動作するインペラと、前記インペラに連結されるシャフトとを備え、
前記シャフトは、第１端部と、前記第１端部の反対側に位置される第２端部とを備え、
前記シャフトの第１端部側に前記インペラが連結され、前記インペラが前記第１端部側に連結された状態で、前記第２端部は前記インペラと前記第２サイクロン部との間に配置される、請求項１又は７に記載の掃除機。
【発明の詳細な説明】
【技術分野】
【０００１】
本明細書は、掃除機に関する。
【背景技術】
【０００２】
このような掃除機は、使用者が直接掃除機を移動させながら掃除を行う手動掃除機と、自ら走行しながら掃除を行う自動掃除機とに区分することができる。
【０００３】
また、手動掃除機は、掃除機の形態により、キャニスター型掃除機、アップライト型掃除機、ハンディ型掃除機、スティック型掃除機などに区分することができる。
【０００４】
先行文献である大韓民国公開特許公報第１０−２０１１−０１０６９１７号（公開日２０１１．０９．２９．）にはハンドヘルド掃除機が開示されている。前記ハンドヘルド掃除機は、一つ以上のサイクロンを有する遠心分離機を含み、遠心分離機は壁を有する集塵機を有する第１サイクロンと、集塵機を閉鎖するベースとを含む。
【０００５】
前記ベースはキャッチによって閉鎖位置に維持され、アクチュエータによってキャッチが動作して集塵機を掃除機から分離せずに集塵機を開放させることができる。
【０００６】
前記集塵機内には、複数の貫通孔を備えるシュラウドが位置する。そして、シュラウドの上側には第２サイクロンが位置する。前記第１サイクロンで一次的に埃と分離された空気は、前記複数の貫通孔を通過した後に前記第２サイクロンに流動される。
【０００７】
したがって、前記複数の貫通孔を空気が通過する過程で、異物が前記複数の貫通孔に挟まったり複数の貫通孔をふさぐようになるので、複数の貫通孔の掃除が必要である。
【０００８】
しかし、前記集塵機が開放されて集塵機を空けることができても前記集塵機内にシュラウドが位置され、シュラウドと集塵機との間の空間が狭くてシュラウドの複数の貫通孔の掃除が容易でないという問題がある。
【発明の概要】
【発明が解決しようとする課題】
【０００９】
本発明の目的は、ダストボックスが本体から分離されてフィルタ部材の掃除が容易な掃除機を提供することにある。
【００１０】
また、本発明の目的は、一つの操作部材を用いてダストボックスを開放させたりダストボックスを本体から分離できる掃除機を提供することにある。
【課題を解決するための手段】
【００１１】
一側面による掃除機は、外形を形成する本体；前記本体に分離可能に結合され、空気から分離された埃を貯蔵するダストボックス；前記ダストボックスを開閉するダストボックスカバー；前記ダストボックスの後方に位置するハンドル部；および第１方向の移動によって前記ダストボックスカバーに操作力を提供でき、前記第１方向と反対方向である第２方向の移動によって前記本体から前記ダストボックスが分離されることを制限する制限機構を作動させて前記制限機構の制限が解除されるようにする操作部材を含む。
【００１２】
前記操作部材は、前記ハンドル部に上下移動可能に配置され得る。
【００１３】
前記操作部材は、上下移動可能な操作プレートと、前記操作プレートから突出して前記ハンドル部のスロットを貫通して外部に露出する操作リブとを含むことができる。
【００１４】
前記ダストボックスカバーは、前記ダストボックスに固定されるための固定フックを含むことができる。
【００１５】
前記操作部材は、前記第１方向の移動過程で前記固定フックと接触する第１接触部を含むことができる。
【００１６】
前記制限機構は、回転動作して係止部を備える稼動部材と、前記ダストボックスに備えられて前記係止部が係止される係止リブを含むことができる。
【００１７】
前記操作部材は、前記係止部と前記係止リブの係止が解除されるように、前記第２方向に移動する過程で、前記稼動部材を回転させるための第２接触部を含むことができる。
【００１８】
前記稼動部材は、前記第２接触部の上方に位置する接触ボディを含み、前記接触ボディの両側から前記係止部が前記ダストボックスに向かって延びることができる。前記係止部には回転のためのシャフトが備えられ得る。
【００１９】
複数の係止部の間に前記操作プレートが位置し、前記操作プレートは、前記接触ボディと前記ダストボックスとの間に位置し得る。
【００２０】
前記係止リブが前記係止部に係止された状態が維持されるように前記稼動部材に弾性力を提供する弾性部材をさらに含むことができる。
【００２１】
前記稼動部材は、前記ハンドル部に回転可能に設けられ得る。
【００２２】
前記操作部材が中立位置に位置するように、前記操作部材が前記第２方向に移動するようにするための第１弾性部材と、前記操作部材が前記第１方向に移動するようにするための第２弾性部材とをさらに含むことができる。
【００２３】
前記第１方向は、前記操作部材が下側に移動する方向であり、前記第２方向は、前記操作部材が上側に移動する方向である。
【００２４】
前記ダストボックスの上側に位置し、空気中の埃を分離するためのサイクロン部と、前記サイクロン部に連結される吸入部とをさらに含むことができる。前記ダストボックスとサイクロン部および前記吸入部とが共に前記本体から分離され得る。
【００２５】
前記サイクルロンブ内に位置する追加のサイクロン部と、前記追加のサイクロン部を囲むフィルタ部材とをさらに含み、前記フィルタ部材は、前記サイクロン部との結合のための結合リブを含むことができる。
【００２６】
前記サイクロン部は、前記結合リブが収容されるリブ収容部を含むことができる。
【００２７】
前記ダストボックスカバーは、前記ダストボックスにヒンジによって回転可能に連結され、前記制限機構の制限が解除されると、前記ダストボックスカバーは、前記ダストボックスと共に前記本体から分離され得る。
【００２８】
前記ハンドル部に備えられるバッテリーをさらに含み、前記ダストボックスカバーは、前記ダストボックスに固定されるための固定フックを含むことができる。
【００２９】
前記固定フックは、前記ヒンジと前記バッテリーとの間に位置し得る。
【発明の効果】
【００３０】
提案される発明によると、ダストボックスが本体と分離されてフィルタ部材が外部に露出することがあるので、使用者がフィルタ部材を容易に掃除できるという長所がある。
【００３１】
また、操作部材を用いてダストボックス開閉およびダストボックス分離が可能に使用者の便宜性が向上し、構造が簡単になるという長所がある。
【図面の簡単な説明】
【００３２】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機を下側から見た斜視図。
【図５】本発明の一実施例に係る掃除機の断面図。
【図６】本発明の一実施例に係る掃除機の分解斜視図。
【図７】本発明の一実施例に係る本体からカバー部材が分離された状態を示す図面。
【図８】本発明の一実施例に係る第１ボディの斜視図。
【図９】本発明の一実施例に係るカバー部材の斜視図。
【図１０】本発明の一実施例に係るカバー部材の斜視図。
【図１１】本発明の一実施例に係るカバー部材が本体に結合された状態を示す横断面図。
【図１２】本発明の一実施例に係るカバー部材が本体に結合される前の状態を示す縦断面図。
【図１３】カバー部材が本体に結合された状態を示す縦断面図。
【図１４】本発明の一実施例に係るハンドル部の斜視図。
【図１５】図１４のハンドル部がカバー部材に結合された状態を示す横断面図。
【図１６】ハンドル部がカバー部材に結合される前の状態を示す縦断面図。
【図１７】ハンドル部がカバー部材に結合された状態を示す縦断面図。
【図１８】ハンドル部が本体に結合される様子を示す図面。
【図１９】カバー部材が本体に結合された状態を示す斜視図。
【図２０】カバー部材が結合された本体にインナーハウジングが結合された状態を示す斜視図。
【図２１】本体にインナーハウジングが結合された状態を示す断面図。
【図２２】本発明の掃除機の結合構造を概略的に示す概念図。
【図２３】本発明の他の実施例に係る掃除機の斜視図。
【図２４】本発明の他の実施例に係る本体と吸入部の断面図。
【図２５】本発明の他の実施例に係る本体からハンドル部が分離された状態を示す斜視図。
【図２６】ダストボックスと操作部材および稼動部材の構造を示す図面。
【図２７】操作部材が中立位置に位置するときの操作部材と稼動部材の配置を示す断面図。
【図２８】本発明の他の実施例に係るハンドル部の斜視図。
【図２９】ダストボックスの開放のために操作部材が第１方向に移動した状態を示す断面図。
【図３０】ダストボックスカバーが回転してダストボックスが開放された状態を示す図面。
【図３１】ダストボックスの分離のために操作部材が第２方向に移動した状態を示す断面図。
【図３２】ダストボックスの分離のために操作部材が第２方向に移動した状態を示す断面図。
【図３３】ダストボックスが本体から分離された状態を示す図面。
【発明を実施するための形態】
【００３３】
以下、本発明の一部の実施例を例示的な図面を通じて詳細に説明する。各図面の構成要素に参照符号を付けることにおいて、同一の構成要素に対しては、たとえ他の図面上に示されてもできるだけ同じ符号を有するようにしていることに留意しなければならない。また、本発明の実施例を説明することにおいて、関連した公知の構成または機能に対する具体的な説明が本発明の実施例に対する理解を妨害すると判断される場合にはその詳細な説明は省略する。
【００３４】
また、本発明の構成要素を説明することにおいて、第１、第２、Ａ、Ｂ、（ａ）、（ｂ）等の用語を使用し得る。このような用語は単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００３５】
図１は、本発明の一実施例に係る掃除機の斜視図であり、図２は、本発明の一実施例に係る掃除機の側面図であり、図３は、本発明の一実施例に係る掃除機の平面図であり、図４は、本発明の一実施例に係る掃除機を下側から見た斜視図であり、図５は本発明の一実施例に係る掃除機の断面図である。
【００３６】
図１ないし図５を参照すると、本発明の一実施例に係る掃除機１は、本体２を含むことができる。
【００３７】
前記掃除機１は、前記本体２の前面に結合される吸入部５をさらに含むことができる。前記吸入部５は、埃を含む空気を前記本体２に案内することができる。
【００３８】
前記掃除機１は、前記本体２に結合されるハンドル部３をさらに含むことができる。前記ハンドル部３は、前記本体２で前記吸入部５の反対側に位置し得る。
【００３９】
すなわち、前記吸入部５と前記ハンドル部３との間に前記本体２が配置され得る。
【００４０】
前記本体２は、第１ボディ１０と、前記第１ボディ１０の上側に位置する第２ボディ１２とを含むことができる。
【００４１】
前記第１ボディ１０と前記第２ボディ１２は、制限的ではないが、円筒形状に形成され得る。
【００４２】
そして、前記吸入部５の中央部が概略的に前記第１ボディ１０と前記第２ボディ１２との境界部に位置するように前記吸入部５が前記本体２に結合され得る。
【００４３】
前記本体２は、前記吸入部５を介して吸入された空気から埃を分離する埃分離部をさらに含むことができる。
【００４４】
前記埃分離部は、一例としてサイクロン流動によって埃を分離できる第１サイクロン部１１０を含むことができる。このとき、前記第１ボディ１０が前記第１サイクロン部１
１０を含む。
【００４５】
前記吸入部５を介して吸入される空気と埃は、前記第１サイクロン部１１０の内周面に沿って螺旋流動するようになる。
【００４６】
前記第１サイクロン部１１０のサイクロン流動の軸は、上下方向に延びることができる。
【００４７】
前記埃分離部は、前記第１サイクロン部１１０から排出された空気から埃を再度分離する第２サイクロン部１３０をさらに含むことができる。このとき、前記埃分離部の大きさが最小化されるように、前記第２サイクロン部１３０は、前記第１サイクロン部１１０の内部に位置し得る。前記第２サイクロン部１３０は、並列に配置される複数のサイクロンボディを含むことができる。
【００４８】
他の例として、前記埃分離部が単一のサイクロン部を有してもよく、この場合にも前記サイクロン流動の軸は、上下方向に延びることができる。
【００４９】
前記第１ボディ１０は、前記各サイクロン部１１０、１３０で分離された埃を貯蔵するダストボックスの役割をする。すなわち、前記第１ボディ１０は、第１サイクロン部１１０とダストボックスとを含む。このとき、前記ダストボックスに貯蔵された埃の量を使用者が目視で確認できるように、前記第１ボディ１０の一部または全部は透明または半透明であり得る。
【００５０】
前記本体２は、前記第１ボディ１０の下側を開閉するボディカバー１６をさらに含むことができる。前記ボディカバー１６は、回転動作によって前記第１ボディ１０を開閉することができる。前記第１ボディ１０には、前記ボディカバー１６の回転のために操作するボタン１８が備えられ得る。
【００５１】
前記ボディカバー１６のヒンジ１６２は、バッテリーハウジング６０に備えられたヒンジ結合部６２０に結合され得る。
【００５２】
前記第２サイクロン部１３０の少なくとも一部は、前記第１ボディ１０内に位置し得る。
【００５３】
前記第１ボディ１０内には、前記第２サイクロン部１３０で分離された埃の貯蔵をガイドする埃貯蔵ガイド１２４が配置され得る。前記埃貯蔵ガイド１２４は、前記第２サイクロン部１３０の下側に結合されて前記ボディカバー１６の上面に接触し得る。
【００５４】
前記埃貯蔵ガイド１２４は、前記第１ボディ１０の内部空間を前記第１サイクロン部１１０で分離された埃が貯蔵される第１埃貯蔵部１２１と、前記第２サイクロン部１３０で分離された埃が貯蔵される第２埃貯蔵部１２３とに区画することができる。
【００５５】
前記埃貯蔵ガイド１２４の内部空間が前記第２埃貯蔵部１２３であり、前記埃貯蔵ガイド１２４と前記第１ボディ１０との間の空間が第１埃貯蔵部１２１である。
【００５６】
前記ボディカバー１６は、前記第１埃貯蔵部１２１と前記第２埃貯蔵部１２３とを共に開閉することができる。
【００５７】
前記掃除機１は、吸入力を発生させるための吸入モータ２０と、前記吸入モータ２０に電源を供給するためのバッテリー４０とをさらに含むことができる。
【００５８】
前記吸入モータ２０は、前記第２ボディ１２内に位置し得る。そして、前記吸入モータ２０の少なくとも一部は、前記埃分離部の上側に位置し得る。したがって、前記吸入モータ２０は、前記第１ボディ１０の上方に位置する。
【００５９】
前記吸入モータ２０は、前記第２サイクロン部１３０の空気出口と連通することができる。
【００６０】
このために、前記本体２は、前記第２サイクロン部１３０と連結される排出ガイド２８と、前記排出ガイド２８と連通する流動ガイド２２とをさらに含むことができる。
【００６１】
一例として、前記排出ガイド２８は、前記第２サイクロン部１３０の上側に位置し、前記流動ガイド２２は、前記排出ガイド２８の上側に位置する。
【００６２】
そして、前記吸入モータ２０の少なくとも一部は、前記流動ガイド２２の内部に位置する。
【００６３】
したがって、前記埃分離部のサイクロン流動の軸は、前記吸入モータ２０を貫通することができる。
【００６４】
前記吸入モータ２０が前記第２サイクロン部１３０の上側に位置すると、前記第２サイクロン部１３０から排出された空気が直ちに前記吸入モータ２０側に流動できて、前記埃分離部と前記吸入モータ２０との間の流路が最小化され得る。
【００６５】
前記吸入モータ２０は、回転動作するインペラ２００を含むことができる。前記インペラ２００は、シャフト２０２に連結され得る。前記シャフト２０２は、上下方向に延びるように配置される。
【００６６】
前記シャフト２０２の延長線（インペラ２００の回転軸ともいうことができる）は、前記第１ボディ１０を通過することができる。このとき、前記インペラ２００の回転軸と前記埃分離部の第１サイクロン部１１０で発生するサイクロン流動の軸は、同一線上に位置し得る。
【００６７】
本発明によると、前記埃分離部から排出された空気、すなわち、第２サイクロン部１３０から上方に排出された空気が前記吸入モータ２０側に流動する経路が減り、空気の方向変化が減ることができて空気の流動損失が減るという長所がある。
【００６８】
空気の流動損失が減る場合、吸入力が増加でき、前記吸入モータ２０に電源を供給するためのバッテリー４０の使用時間が増加できる。
【００６９】
前記掃除機１は、前記吸入モータ２０の上側の一部をカバーする上部モータハウジング２６と前記吸入モータ２０の下側の一部をカバーする下部モータハウジング２７とをさらに含むことができる。前記下部モータハウジング２７は、前記第２ボディ１２と一体に形成されたり前記第２ボディ１２に結合され得る。
【００７０】
前記吸入モータ２０は、前記各モータハウジング２６の内部に収容され、前記流動ガイド２２は、前記上部モータハウジング２６を囲むように配置され得る。
【００７１】
前記流動ガイド２２の少なくとも一部は、前記上部モータハウジング２６から離隔し得る。また、前記流動ガイド２２の少なくとも一部は、前記第２ボディ１２から離隔し得
る。
【００７２】
したがって、前記流動ガイド２２の内周面と前記上部モータハウジング２６の外周面は、第１空気流路２３２を形成し、前記流動ガイド２２の外周面と前記第２ボディ１２の内周面は、第２空気流路２３４を形成する。
【００７３】
前記第２サイクロン部１３０から排出された空気は、前記第１空気流路２３２に沿って前記吸入モータ２０に流動し、前記吸入モータ２０から排出された空気は、前記第２空気流路２３４に沿って流動した後に外部に排出される。したがって、前記第２空気流路２３４は、排気流路の役割をする。
【００７４】
前記ハンドル部３は、使用者の把持のためのハンドル３０と、前記ハンドル３０の下側に配置されるバッテリーハウジング６０とを含むことができる。
【００７５】
前記ハンドル３０は、前記吸入モータ２０の後方に位置し得る。
【００７６】
方向に対して定義すると、前記掃除機１において前記吸入モータ２０を基準に、前記吸入部５が位置する方向が前方であり、前記ハンドル３０が位置する方向が後方である。
【００７７】
前記バッテリー４０は、前記第１ボディ１０の後方に位置し得る。したがって、前記吸入モータ２０と前記バッテリー４０は、上下方向に重ならないように配置され、配置高さもまた異なるように配置され得る。
【００７８】
このような本発明によると、前記ハンドル３０を基準に、重さが重い吸入モータ２０が前記ハンドル３０の前方に位置し、重さが重いバッテリー４０が前記ハンドル３０の下方に位置するので、前記掃除機１は全体的に重さが等しく分配される。使用者が前記ハンドル３０を把持して掃除をするとき、使用者の手首に負担がかかることが防止され得る。すなわち、掃除機１の前面と後方に重さが重い構成が分散されて配置されるが、互いに異なる高さに配置されるので、掃除機１の重心がある一側に偏ることが防止され得る。
【００７９】
前記バッテリー４０が前記ハンドル３０の下方に位置し、前記吸入モータ２０は前記ハンドル３０の前方に位置するので、前記ハンドル３０の上方には何の構成が存在しなくなる。すなわち、前記ハンドル３０の上面は、前記掃除機１の上面の一部の外観を形成する。
【００８０】
したがって、前記ハンドル３０を把持して使用する過程で、掃除機１の一構成が使用者の腕に接触することが防止され得る。
【００８１】
前記ハンドル３０は、上下方向に延びて使用者が把持できる第１延長部３１０と、前記第１延長部３１０の上側から前記吸入モータ２０に向かって延びる第２延長部３２０とを含むことができる。前記第２延長部３２０は、少なくとも一部が水平方向に延びることができる。
【００８２】
前記第１延長部３１０には、使用者が前記第１延長部３１０を把持した状態で、手が前記第１延長部３１０の長手方向（図２には上下方向）に移動することを防止するための移動制限部３１２が備えられ得る。前記移動制限部３１２は、前記第１延長部３１０から前記吸入部５に向かって延びることができる。
【００８３】
前記移動制限部３１２は、前記第２延長部３２０から離隔して配置される。したがって、前記第１延長部３１０を把持した状態で、一部の指は、前記移動制限部３１２の上方
に位置し、残りの指は、前記移動制限部３１２の下方に位置する。
【００８４】
一例として、人差し指と中指との間に前記移動制限部３１２が位置し得る。
【００８５】
このような配置によると、使用者が前記第１延長部３１０を把持した状態で、前記吸入部５の長手方向軸Ａ１が使用者の手首を通ることができる。
【００８６】
前記吸入部５の長手方向の軸Ａ１が使用者の手首を通る場合、使用者の腕が伸ばされた状態で、前記吸入部５の長手方向の軸Ａ１は、使用者の腕の延長方向と実質的に平行であり得る。したがって、このような状態では、使用者が前記ハンドル３０を把持して掃除機１を押したり引くとき必要な使用者の力が最小化されるという長所がある。
【００８７】
前記ハンドル３０は、操作部３２６を含むことができる。一例として、前記操作部３２６は、前記第２延長部３２０に形成される傾斜面に位置し得る。前記操作部３２６を介して掃除機（吸入モータ）のオン命令およびオフ命令を入力することができる。一例として、前記操作部３２６を用いて前記吸入モータ２０のオン命令およびオフ命令を入力することができる。また、前記操作部３２６を介して、前記吸入モータ２０がオンされた状態で吸入モータ２０の吸入力の強さを調節することができる。
【００８８】
前記操作部３２６は、使用者に向かうように配置され得る。前記ハンドル３０を基準に、前記操作部３２６は、前記移動制限部３１２の反対側に位置し得る。
【００８９】
前記操作部３２６は、前記移動制限部３１２より高く位置する。したがって、使用者が前記第１延長部３１０を把持した状態で、親指で容易に前記操作部３２６を操作することができる。
【００９０】
また、前記第１延長部３１０から外れた位置に前記操作部３２６が位置するので、前記第１延長部３１０を把持した状態で掃除を行うとき、意図せずに前記操作部３２６が操作されることが防止され得る。
【００９１】
前記バッテリーハウジング６０は、前記第１延長部３１０の下側に位置し得る。
【００９２】
前記バッテリー４０は、前記バッテリーハウジング６０に分離可能に結合され得る。一例として、前記バッテリー４０は、前記バッテリーハウジング６０の下方から前記バッテリーハウジング６０の内部に挿入され得る。
【００９３】
前記バッテリーハウジング６０の後面と前記第１延長部３１０の後面は、連続的な面を形成することができる。したがって、前記バッテリーハウジング６０と前記第１延長部３１０が一体感を有し得る。
【００９４】
前記バッテリー４０が前記バッテリーハウジング６０に収容された状態で、前記バッテリー４０の下面が外部に露出し得る。したがって、前記掃除機１を床に置くとき前記バッテリー４０が床に置かれ得る。
【００９５】
このような構造によると、前記バッテリー４０を前記バッテリーハウジング６０から直ちに分離できるという長所がある。
【００９６】
また、前記バッテリー４０の下面が外部に露出するので、前記バッテリー４０の下面が掃除機１の外部の空気と直接接触できて前記バッテリー４０の冷却性能が向上し得る。
【００９７】
前記バッテリーハウジング６０は、アウターハウジング６００とインナーハウジング６１０とを含むことができる。前記インナーハウジング６１０は、前記アウターハウジング６００の下側に挿入され得る。
【００９８】
前記インナーハウジング６１０は、前記アウターハウジング６００および前記第１ボディ１０のうち一つ以上に固定され得る。そして、前記バッテリー４０は、前記インナーハウジング６１０に結合され得る。
【００９９】
本発明によると、前記インナーハウジング６１０が前記アウターハウジング６００に挿入された状態で、前記バッテリー４０を収容して前記バッテリー４０と結合するので、前記アウターハウジング６００が変形されたり前記バッテリー４０の装着および分離過程で、アウターハウジング６００が損傷することが防止され得る。もちろん、前記インナーハウジング６１０を別に形成せず、前記インナーハウジング６１０を前記アウターハウジング６００と一体に形成することも可能である。
【０１００】
前記インナーハウジング６１０は、前記ボディカバー１６のヒンジ１６２が結合される一対のヒンジ結合部６２０を含むことができる。前記一対のヒンジ結合部６２０は、一定間隔離隔して配置され得る。
【０１０１】
前記インナーハウジング６１０は、前記バッテリー４０が前記インナーハウジング６１０に装着された状態で、前記バッテリー４０を充電させるための充電台連結端子６２８をさらに含むことができる。前記掃除機１を示されていない充電台に安着させると、前記充電台の端子が前記充電台連結端子６２８と接触し得る。
【０１０２】
前記バッテリーハウジング６００には、前記バッテリーハウジング６０に収容されたバッテリー４０内に備えられるバッテリー端子４９０と結合するためのバッテリー連結端子６７０が備えられ得る。前記バッテリー連結端子６７０は、前記バッテリー４０の上側を貫通して前記バッテリー端子４９０に結合され得る。
【０１０３】
一方、図３を参照すると、前記掃除機１は、前記吸入モータ２０を通った空気が排出される空気排出口５２２を有するフィルタ機構５０をさらに含むことができる。前記空気排出口５２２は、一例として複数の開口を含み、複数の開口は、円周方向に配列され得る。
【０１０４】
前記フィルタ機構５０は、前記本体２の上側に分離可能に結合され得る。前記フィルタ機構５０は、前記第２ボディ１２に分離可能に収容され得る。
【０１０５】
前記フィルタ機構５０が前記本体２に結合された状態で、前記フィルタ機構２の一部は、前記第２ボディ１２の外側に位置する。したがって、前記フィルタ機構５０の一部は、前記本体２の上側開口を介して前記本体２内部に引き入れられ、他の一部は、前記本体２の外部に突出する。
【０１０６】
前記本体２の高さは、前記ハンドル３０の高さと実質的に同一であり得る。したがって、前記フィルタ機構５０は、前記本体２の上方に突出して使用者が前記フィルタ機構５０を把持した状態で、前記フィルタ機構５０を容易に分離することができる。
【０１０７】
前記フィルタ機構５０が前記本体２に結合された状態で、前記フィルタ機構５０の上側に前記空気排出口５２２が位置する。したがって、前記吸入モータ２０から排出された空気は、前記本体２の上方に排出される。
【０１０８】
本実施例によると、掃除機１を用いて掃除する過程で、空気排出口５２２から排出された空気が使用者側に流動することが防止され得る。
【０１０９】
前記本体２は、前記吸入モータ２０に流入する空気をフィルタリングするためのプレフィルタ２９をさらに含むことができる。前記プレフィルタ２９は、前記流動ガイド２２内に位置し得る。また、前記プレフィルタ２９は、前記上部モータハウジング２６に安着されて前記上部モータハウジング２６の一部を囲むことができる。すなわち、前記上部モータハウジング２６は、前記プレフィルタ２９を支持するためのフィルタ支持部を含むことができる。
【０１１０】
図６は、本発明の一実施例に係る掃除機からハンドル部が分離された状態を示す図であり、図７は、本発明の一実施例に係る本体からカバー部材が分離された状態を示す図であり、図８は、本発明の一実施例に係る第１ボディの斜視図である。
【０１１１】
図６ないし図８を参照すると、前記第１ボディ１０と前記第２ボディ１２は、上下方向に互いに結合され得る。
【０１１２】
このために、前記第１ボディ１０には第１結合部１０５が備えられ、前記第２ボディ１２には第２結合部１２２が備えられ得る。
【０１１３】
前記第１結合部１０５は、前記第１ボディ１０の外周面から突出する突出部であり得る。前記第２結合部１２２は、前記第２ボディ１２の下側から下方に延びることができる。前記第２結合部１２２は、前記突出部に係止されるためのフックであり得る。
【０１１４】
前記第２ボディ１２の下方に延びた第２結合部１２２が前記第１結合部１０５に係止されるために、前記第１結合部１０５は、前記第１ボディ１０の上段から下方に一定距離離隔して配置され得る。
【０１１５】
前記第１ボディ１０には、カバー部材７０が結合され得る。前記カバー部材７０は、制御信号伝達および／または電源供給のための複数の本体電線１２６、１２７が前記第１ボディ１０の外部（または、ダストボックス１２０の外部）から見えることを防止することができる。
【０１１６】
前記本体端子８０には、複数の本体電線１２６、１２７が連結され得る。前記複数の本体電線１２６、１２７は、前記吸入部５に備えられる吸入部端子（図示せず）と連結される二つの第１本体電線１２６と、前記吸入モータ２０と連結される二つの第２本体電線１２７とを含むことができる。
【０１１７】
前記吸入部５には、回転清掃部材とモータを備える吸入ノズルと連結された延長管が連結され得、前記延長管が前記吸入部５に連結されると、前記モータは、前記吸入部端子と電気的に連結されて前記バッテリー４０から電源の供給を受けることができる。または、回転清掃部材とモータを備える吸入ノズルが直接前記吸入部５に連結され得、この場合にも前記吸入ノズルのモータが前記バッテリー４０から電源の供給を受けることができる。
【０１１８】
前記複数の本体電線１２６、１２７の一部は、前記第２ボディ１２の内部に引き入れられ得る。前記複数の本体電線１２６、１２７の他の一部は、前記第２ボディ１２から下方に延びて前記カバー部材７０によってガイドされた後に前記本体端子８０に連結され得る。
【０１１９】
前記カバー部材７０は、前記本体電線１２６、１２７と連結される本体端子８０を支持することができる。したがって、前記カバー部材７０は、前記本体端子８０が前記第１ボディ１０の外部（または、ダストボックス１２０の外部）から見えることを防止することができる。
【０１２０】
前記カバー部材７０は、制限的ではないが、前記第１ボディ１０で前記吸入部５の反対側に結合され得る。前記カバー部材７０が前記第１ボディ１０で前記吸入部５の反対側に位置する場合、前記ハンドル部３によってカバーできて前記カバー部材７０の外部露出が防止され得る。
【０１２１】
前記第１ボディ１０は、前記カバー部材７０が安着されるために前記第１ボディ１０の外面が内側に陥没した接触面を含むことができる。
【０１２２】
前記接触面は、ラウンドされた第１接触面１０１と、前記第１接触面１０１の両側に位置する平面の第２接触面１０２とを含むことができる。
【０１２３】
前記第１ボディ１０は、前記カバー部材７０が結合されるためのカバー結合フック１０４をさらに含むことができる。
【０１２４】
前記第１ボディ１０は、前記第２ボディ１２と結合するための第１結合部１０５をさらに含むことができる。
【０１２５】
前記カバー結合フック１０４は、前記第１結合部１０５の下側で前記第１結合部１０５から離隔して位置し得る。前記第１結合部１０５に結合された第２結合部１１２と前記カバー結合フック１０４が干渉されることが防止されるように、前記カバー結合フック１０４は、前記第１結合部１０５の下側に位置した状態で下方に延びることができる。
【０１２６】
前記第１接触面１０１の両側に平面の第２接触面１０２が配置されることによって、前記第１ボディ１０に前記カバー部材７０が結合された状態で、前記第１ボディ１０の外周面に沿って前記カバー部材７０が水平方向に回転することが防止され得る。
【０１２７】
前記第１ボディ１０には、前記カバー部材７０が結合された状態が安定的に維持されるようにするための一つ以上の移動防止リブ１０３が備えられ得る。
【０１２８】
一例として、前記カバー部材７０の上下および左右移動が防止されるように、前記第１ボディ１０には、複数の移動防止リブ１０３が備えられ得る。
【０１２９】
前記複数の移動防止リブ１０３は、前記第１ボディ１０の第１接触面１０１から突出することができ、水平方向および上下方向に離隔して配置され得る。
【０１３０】
一例として、水平方向に離隔した二つの移動防止リブ１０３は、互いに遠ざかる方向に延びることができる。
【０１３１】
前記複数の移動防止リブ１０３の少なくとも一部の移動防止リブ１０３の端部１０３ａは、前記第２接触面１０２から離隔した状態で前記第２接触面１０２と対向するように配置され得る。すなわち、前記移動防止リブ１０３の端部１０３ａと前記第２接触面１０２との間には空間が形成され得る。
【０１３２】
前記第１ボディ１０は、前記インナーハウジング６１０と締結されるためのハウジング締結部１０８をさらに含むことができる。前記ハウジング締結部１０８には、スクリュ
ーのような締結部材が締結され得る。
【０１３３】
前記ハウジング締結部１０８に前記締結部材が締結されるように、前記ハウジング締結部１０８の一部は、前記第１ボディ１０から外部に突出することができ、他の一部は、前記第１ボディ１０から内部に突出することができる。一例として、前記第１接触面１０１から前記ハウジング締結部１０８が外部および内部に突出することができる。
【０１３４】
前記締結部材が上下方向に前記ハウジング締結部１０８に締結されるように、前記ハウジング締結部１０８は、上下方向に延びることができる。
【０１３５】
前記ハウジング締結部１０８は、前記第１ボディ１０の下段から上方に離隔した位置に配置され得る。
【０１３６】
したがって、前記ハウジング締結部１０８に締結部材が締結され得るように、前記第１ボディ１０は、締結部材の移動のための空間を提供する陥没空間１０６と、前記陥没空間１０６で前記締結部材を案内する案内溝１０７とをさらに含むことができる。
【０１３７】
図９および図１０は、本発明の一実施例に係るカバー部材の斜視図である。
【０１３８】
図６ないし図１０を参照すると、前記カバー部材７０は、前記第１ボディ１０の外面に接触するカバーボディ７１０を含むことができる。
【０１３９】
前記カバーボディ７１０は、前記第１接触面１０１に接触する第１カバーボディ７１１と、前記第１カバーボディ７１１の両側に位置して前記第２接触面１０２に接触する第２カバーボディ７１２とを含むことができる。
【０１４０】
前記第１カバーボディ７１１が前記第１接触面１０１に接触するために、前記第１カバーボディ７１１はラウンド面を含むことができる。
【０１４１】
前記第２カバーボディ７１２が前記第２接触面１０２に接触するために、前記第２カバーボディ７１２は平面を含むことができる。
【０１４２】
前記カバーボディ７１０は、前記第２ボディ１２の第２結合部１２２が位置するための収容空間７１３をさらに含むことができる。前記収容空間７１３は、前記カバーボディ７１０の上側の中央部に形成される。
【０１４３】
前記カバーボディ７１０は、前記カバー結合フック１０４が貫通するためのスロット７１４と、前記スロット７１４を貫通した前記カバー結合フック１０４が係止されるためのフック係止部７１５とをさらに含むことができる。
【０１４４】
前記スロット７１４は、前記収容空間７１３の下側に位置する。したがって、本発明によると、前記カバー結合フック１０４は、前記収容空間７１３を通って前記スロット７１４を貫通して前記フック係止部７１５に係止され得る。そして、前記第２ボディ１２の第２結合部１３２は、前記カバーボディ７１０に干渉されずに前記収容空間７１３に位置し得る。
【０１４５】
前記収容空間７１３は、前記カバーボディ７１０の両段部から離隔した位置に配置される空間であるので、前記第２ボディ１２の第２結合部１２２が前記収容空間７１３に位置すると、前記第２結合部１２２によって前記カバーボディ７１０の水平方向移動が防止され得る。
【０１４６】
前記カバーボディ７１０は、前記第１ボディ１０の移動防止リブ１０３が収容されるためのリブ収容空間７１８と、前記リブ収容空間７１８に位置した移動防止リブ１０３が前記第１ボディ１０から半径方向に遠ざかる方向に移動することを制限するための制限リブ７１９と、前記リブ収容空間７１８に収容された前記移動防止リブ１０３を支持するリブ支持面７２０とをさらに含むことができる。
【０１４７】
前記制限リブ７１９は、前記リブ収容空間７１８の入口７１８ａの下側に位置し得る。
【０１４８】
前記カバーボディ７１０は、前記ハンドル部３と結合するための第２ハンドル結合部７２１をさらに含むことができる。
【０１４９】
前記第２ハンドル結合部７２１は、前記カバーボディ７１０から水平方向に延びる第１延長部７２２と、前記第１延長部７２２から上方に延びる第２延長部７２３とを含むことができる。
【０１５０】
前記第２延長部７２３の少なくとも一部は、前記カバーボディ７１０の第１面と対向するように配置され得る。
【０１５１】
本発明において、前記カバーボディ７１０で前記第１ボディ１０と接触する面を第２面といい、前記第２面の反対面を第１面ということができる。
【０１５２】
したがって、前記第２延長部７２３と前記カバーボディ７１０の第１面との間には、挿入開口７２４が形成される。
【０１５３】
前記挿入開口７２４には、後述する前記ハンドル部３の挿入リブ（図１４の３０４）が挿入され得る。
【０１５４】
前記カバーボディ７１０は、本体端子８０が結合されるための端子結合部７１６を含むことができる。前記端子結合部７１６は、水平方向に離隔する複数の結合リブ７１６ａを含むことができ、前記各結合リブ７１６ａには、前記本体端子８０が結合されるための結合孔７１６ｂが形成され得る。
【０１５５】
したがって、前記本体端子８０は、前記複数の結合リブ７１６ａの間に位置した状態で前記結合孔７１６ｂに結合され得る。
【０１５６】
前記本体端子８０が前記結合孔７１６ｂに結合されると、前記ハンドル部３のハンドル端子９０が前記本体端子８０に結合される過程で、前記本体端子８０が下側に弛むことが防止され得る。
【０１５７】
このとき、前記複数の結合リブ７１６ａの上下の長さは、前記本体端子８０の上下長さより長く形成され得る。これは後述する前記ハンドル端子（図１４の９０参照）が前記本体端子８０に結合される過程で、前記複数の結合リブ７１６が前記ハンドル端子（図１４の９０参照）と前記本体端子８０との結合をガイドするためである。
【０１５８】
前記カバーボディ７１０は、前記本体端子８０を支持するための端子支持部７１６ｃをさらに含むことができる。前記端子支持部７１６ｃは、一例として前記複数の結合リブ７１６ａの下側を連結することができる。
【０１５９】
前記本体端子８０が前記端子支持部７１６ｃに支持された状態で、前記ハンドル部３のハンドル端子９０が前記本体端子８０に結合される過程で、前記本体端子８０が下側に弛むことが防止され得る。
【０１６０】
前記端子結合部７１６は、前記カバーボディ７１０の第１面に備えられ得る。
【０１６１】
前記カバーボディ７１０は、前記複数の本体電線１２６、１２７を案内するための一つ以上の案内リブをさらに含むことができる。
【０１６２】
前記一つ以上の案内リブは、上部案内リブ７２８と、下部案内リブ７２８ａとを含むことができる。
【０１６３】
前記複数の本体電線１２６、１２７は、前記案内リブ７２８、７２８ａによって位置がガイドされ、前記本体端子８０の下側で前記本体端子８０に連結され得る。
【０１６４】
本発明によると、前記カバーボディ７１０の第１面に前記端子結合部７１６が備えられ、前記本体端子８０が前記端子結合部７１６に結合されることによって、前記複数の本体電線１２６、１２７が前記本体端子８０の下面に連結された状態で、前記複数の本体電線１２６、１２７および前記本体端子８０と前記第１ボディ１０との間に前記カバーボディ７１０が位置する。
【０１６５】
したがって、前記第１ボディ１０が透明または半透明に形成されても、前記第１ボディ１０の外部から前記複数の本体電線１２６、１２７および前記本体端子８０が見えることが防止され得る。
【０１６６】
前記カバーボディ７１０は、前記第１ボディ１０のハウジング締結部１０８との干渉を防止するために前記ハウジング締結部１０８が位置する締結部収容溝７２６をさらに含むことができる。
【０１６７】
また、前記カバーボディ７１０は、前記ハンドル部３のハンドルフック（図１４の３０６参照）が結合されるためのハンドルフック結合部７１７をさらに含むことができる。
【０１６８】
図１１は、本発明の一実施例に係るカバー部材が本体に結合された状態を示す横断面図であり、図１２は、本発明の一実施例に係るカバー部材が本体に結合される前の状態を示す縦断面図であり、図１３は、カバー部材が本体に結合された状態を示す縦断面図である。図９ないし図３０を参照すると、前記カバー部材７０を前記第１ボディ１０に結合させるために、前記第１ボディ１０の移動防止リブ１０３を前記カバーボディ７１０のリブ収容空間７１８の入口７１８ａと整列させる。
【０１６９】
この場合、前記第２ボディ１２の第２結合部１２２の一部が前記カバーボディ７１０の収容空間７１３に位置する。
【０１７０】
この状態で、前記カバーボディ７１０を前記第１ボディ１０と接触させる。すなわち、前記第１カバーボディ７１１が前記第１ボディ１０の第１接触面１０１と接触し、前記第２カバーボディ７１２が前記第１ボディ１０の第２接触面１０２と接触する。そして、前記第１ボディ１０の移動防止リブ１０３は、前記リブ収容空間７１８内に収容される。
【０１７１】
この状態で図１３のように、前記カバー部材７０を上方に移動させる。すると、前記第１ボディ１０の移動防止リブ１０３が前記リブ支持面７２０に安着され、前記カバー結合フック１０４が前記カバーボディ７１０のスロット７１４を貫通して前記フック係止部
７１５に係止される。
【０１７２】
前記カバー結合フック１０４が前記フック係止部７１５に係止された状態では、前記カバー部材７０が下方に移動することが防止され得る。
【０１７３】
また、前記第１ボディ１０の移動防止リブ１０３が前記リブ支持面７２０に安着された状態で、前記カバー部材７０は、前記移動防止リブ１０３によって上方に移動することが防止される。
【０１７４】
また、前記制限リブ７１９は、前記第１ボディ１０の第２接触面１０２と前記移動防止リブ１０３との間に位置するので、前記カバー部材７０が前記第１ボディ１０の半径方向の外側に移動することが防止され得る。
【０１７５】
図１４は、本発明の一実施例に係るハンドル部の斜視図である。
【０１７６】
図１４を参照すると、前記ハンドル部３は、前記本体２の外面に接触し、前記本体２の外面を囲むハンドルボディ３００を含むことができる。
【０１７７】
前記ハンドルボディ３００は、前記ハンドル３０と前記バッテリーハウジング６０を形成することができる。
【０１７８】
前記ハンドルボディ３００は、前記カバー部材７０との結合のためのカバー結合部３０１を含むことができる。
【０１７９】
前記カバー結合部３０１によって前記ハンドル部３は、一例として上下方向に前記カバー部材７０に結合され得る。
【０１８０】
前記カバー結合部３０１は、前記カバー部材７０のハンドルフック結合部７１７に結合されるためのハンドルフック３０６を含むことができる。
【０１８１】
また、前記カバー結合部３０１は、前記カバー部材７０の第２ハンドル結合部７２１に結合されるための挿入リブ３０４をさらに含むことができる。
【０１８２】
前記ハンドルボディ３００は、前記インナーハウジング６１０と結合するためのハウジング結合リブ３０８をさらに含むことができる。
【０１８３】
一方、前記ハンドル部３は、前記カバー部材７０に結合された前記本体端子８０と連結されるためのハンドル端子９０をさらに含むことができる。
【０１８４】
前記ハンドル部３は、複数のハンドル電線９４２、９４４、９４６をさらに含むことができる。前記複数のハンドル電線９４２、９４４、９４６は、ＰＣＢユニット３４０に連結され得る。
【０１８５】
前記ＰＣＢユニット３４０は、前記バッテリー４０と連結され得る。また、前記ＰＣＢユニット３４０は、前記操作部３２６から操作信号の入力を受けることができる。前記ＰＣＢユニット３４０は、入力された操作信号に基づいて前記吸入モータ２０および／または前記吸入部端子に電源を供給したり前記吸入モータ２０の吸入力の強さを調節することができる。
【０１８６】
前記複数のハンドル電線９４２、９４４、９４６は、前記ハンドル端子９０に連結さ
れて前記吸入部５に備えられる吸入部端子（図示せず）に電源を供給するための第１ハンドル電線９４２と、前記ハンドル端子９０に連結されて前記吸入モータ２０に電源を供給するための第２ハンドル電線９４４とを含むことができる。
【０１８７】
前記ハンドル部３が前記本体２と連結されると、前記第１ハンドル電線９４２は、前記本体２に備えられる第１本体電線１２６と連結され、前記第２ハンドル電線９４４は、前記本体２に備えられる第２本体電線１２７と連結され得る。
【０１８８】
前記複数のハンドル電線９４２、９４４、９４６は、前記充電台連結端子６２８と連結される端子連結電線９４６とをさらに含むことができる。
【０１８９】
前記ハンドル部３は、前記複数のハンドル電線９４２、９４４、９４６が互いに絡まれていない状態で位置するようにハンドル電線の位置をガイドする電線ガイド３０９をさらに含むことができる。
【０１９０】
図１５は、図１４のハンドル部がカバー部材に結合された状態を示す横断面図であり、図１６は、ハンドル部がカバー部材に結合される前の状態を示す縦断面図であり、図１７は、ハンドル部がカバー部材に結合された状態を示す縦断面図であり、図１８は、ハンドル部が本体に結合される様子を示す図面である。図９、図１４ないし図１８を参照すると、前記ハンドル部３が前記カバー部材７０に結合されるために、前記ハンドル部３の挿入リブ３０４が前記カバーボディ７１０の第２ハンドル結合部７２１の挿入開口７２４と整列され得る。
【０１９１】
この状態で、前記ハンドル部３が下方に移動すると、前記ハンドル部３の挿入リブ３０４が前記挿入開口３２４を通って前記第２ハンドル結合部７２１の第１延長部７２２に安着されて前記第２延長部７２３に係止される。
【０１９２】
また、前記ハンドル部３のハンドルフック３０６が前記カバーボディ７１０のハンドルフック結合部７１７に係止される。また、前記ハンドル端子９０が前記本体端子８０と連結される。すなわち、前記ハンドル端子９０は、前記ハンドル部３が下方に移動して前記カバー部材７０と結合する過程で前記本体端子８０と連結される。
【０１９３】
このとき、前記カバー部材７０の複数の結合リブ７１６は、前記ハンドル端子９０と前記本体端子８０の結合をガイドする。そして、前記ハンドル端子９０が前記本体端子８０に結合された状態で、前記複数の結合リブ７１６は、前記ハンドル端子９０の両側の一部をカバーすることができる。
【０１９４】
したがって、本発明によると、前記ハンドル部３を前記カバー部材７０に結合させる過程で前記ハンドル端子９０と前記本体端子８０が連結されるので、前記ハンドル端子９０と本体端子８０の結合過程が省略され得、使用者の便宜性が向上し得るという長所がある。
【０１９５】
このとき、前記ハンドル部３の挿入リブ３０２および前記カバー部材７０のハンドル結合部７２１によって、前記ハンドル部３は前記カバー部材７０にスライディング結合されるので、前記ハンドル端子９０と前記本体端子８０が安定的に結合され得るという長所がある。
【０１９６】
図１９は、カバー部材が本体に結合された状態を示す斜視図であり、図２０は、カバー部材が結合された本体にインナーハウジングが結合された状態を示す斜視図であり、図２１は、本体にインナーハウジングが結合された状態を示す断面図である。
【０１９７】
図１９ないし図２１を参照すると、前記カバー部材７０が前記第１ボディ１０に結合された状態で、前記カバーボディ７０の下面７２９は、前記第１ボディ１０の下面から離隔する。そして、前記カバー部材７０の下面７２９は、前記第１ボディ１０のハウジング締結部１０８の下段より上方に位置する。
【０１９８】
前記カバーボディ７０の下面７２９と前記第１ボディ１０の下段との間には、前記インナーハウジング６１０のヒンジ結合部６２０が位置するための空間が形成される。
【０１９９】
前記インナーハウジング６１０の一対のヒンジ結合部６２０の間には、前記第１ボディ１０のハウジング締結部１０８に締結されるための締結リブ６２２が備えられる。前記締結リブ６２２は、前記一対のヒンジ結合部６２０を連結する。
【０２００】
前記締結リブ６２２は、締結部材Ｓが締結されるための締結孔６２４を含むことができる。
【０２０１】
前記締結リブ６２２の一部は、前記第１ボディ１０の案内溝１０７に位置する。前記締結リブ６２２が前記案内溝１０７に位置した状態で、前記締結リブ６２２が前記ハウジング締結部１０８の下面と接触するようになる。
【０２０２】
この状態で、前記締結リブ６２２の下方で前記締結部材Ｓを用いて前記締結リブ６２２および前記ハウジング締結部１０８を互いに締結させることができる。
【０２０３】
前記インナーハウジング６１０には、前記ハンドル部３のハウジング結合リブ３０８が結合されるリブ係止部６２６が備えられ得る。前記リブ係止部６２６は、一例として前記一対のヒンジ結合部６２０それぞれに形成され得る。
【０２０４】
したがって、前記インナーハウジング６１０は、前記第１ボディ１０および前記ハンドル部３に結合され得る。
【０２０５】
図２２は、本発明の掃除機の結合構造を概略的に示す概念図である。
【０２０６】
図４、図１８および図２２を参照すると、本発明は、前述したように本体２と、ハンドル部３と、バッテリー４０とを含むことができる。
【０２０７】
本発明の掃除機１は、電源供給のために大きく三つの結合構造を有する。
【０２０８】
一番目の結合構造は、前記バッテリー４０と前記ハンドル部３の結合のための構造である。本発明において、前記バッテリー４０は、前記ハンドル部３に分離可能に結合される。
【０２０９】
前記バッテリー４０が前記ハンドル部３に結合されると、前記バッテリー４０は、前記メインＰＣＢユニット３４０に連結される。このとき、前記バッテリー４０と前記ハンドル部３の結合は、前記バッテリー端子４９０と前記バッテリー連結端子６７０の機構的な結合によって行われる。もちろん、前記メインＰＣＢユニット３４０は、前記バッテリー連結端子６７０と電線によって連結されているので、前記バッテリー端子４９０と前記バッテリー連結端子６７０が結合されると、互いに電気的に連結されて前記バッテリー４０の電源が前記メインＰＣＢユニット３４０に供給され得る。
【０２１０】
本発明の二番目の結合構造は、前記ハンドル部３と前記本体２の結合のための構造で
ある。
【０２１１】
前記メインＰＣＢユニット３４０が前記ハンドル端子９０に連結された状態で、前記ハンドル部３が前記本体２に上下方向にスライディング結合されると、前記ハンドル端子９０と前記本体端子８０が機構的に結合される。もちろん、前記ハンドル端子９０と前記本体端子８０が機構的に結合されると、互いに電気的に連結されて前記メインＰＣＢユニット３４０から前記ハンドル端子９０を経由して前記本体端子８０に電源が供給され得る。
【０２１２】
このとき、前記ハンドル部３にカバー結合部３０１が備えられ、前記カバー部材７０に前記カバー結合部３０１が結合されるための前記挿入開口７２４およびハンドルフック結合部７１７が備えられ得る。したがって、前記ハンドル部３が前記カバー部材７０と安定的に結合され得、この過程で前記ハンドル端子９０が前記本体端子８０に正確に結合され得る。すなわち、前記カバー結合部３０１と前記挿入開口７２４およびハンドルフック結合部７１７は、前記ハンドル端子９０と前記本体端子８０の結合をガイドする役割をするので、前記ハンドル端子９０と前記本体端子８０の組立誤差が減るという長所がある。
【０２１３】
また、前記ハンドル部３にボディ結合部３０４が備えられ、前記本体２の第２ボディ１２に第１ハンドル結合部１３９ａ、１３９ｂが備えられることによって、前記ハンドル部３が前記第２ボディ１２と安定的に結合され得、この過程で前記ハンドル端子９０が前記本体端子８０に正確に結合され得る。すなわち、前記ボディ結合部３０４と前記第１ハンドル結合部１３９ａ、１３９ｂも前記ハンドル端子９０と前記本体端子８０の結合をガイドする役割をするので、前記ハンドル端子９０と前記本体端子８０の組立誤差が減るという長所がある。
【０２１４】
また、前述したように、前記カバー部材７０に前記本体端子８０と結合する複数の結合リブ７１６ａおよび前記本体端子８０の下側を支持する端子支持部７１６ｃが備えられる。したがって、前記ハンドル端子９０が前記本体端子８０に結合される過程で、前記本体端子８０が下側に弛むことが防止されて前記ハンドル端子９０と前記本体端子８０の組立誤差が減るという長所がある。
【０２１５】
本発明の三番目の結合構造は、前記本体端子８０と電気的に連結された本体電線と前記本体２内部に備えられる吸入モータ２０および前記第１端子１３９との間の結合構造である。このような結合構造は、前記本体２内に位置して本体電線の連結による電気的な結合構造である。このような電気的な結合構造によって前記本体端子８０に供給された電源が最終的に前記吸入モータ２０および前記第１端子１３９側に供給され得る。
【０２１６】
このような本発明の結合構造によると、空気が流動する流路は前記本体２にのみ形成され、前記ハンドル部３には形成されない。
【０２１７】
したがって、前記ハンドル部３を前記本体２に結合させるとき、前記ハンドル部３と前記本体２との境界部のシーリングのための構造が不要である。したがって、前記ハンドル部３を前記本体２に結合させるための構造が簡単になり、結合が容易であるという長所がある。
【０２１８】
本発明において、前記吸入モータ２０および前記第１端子１３９は、前記バッテリー４０の電源の供給を受ける構成であるので、電源需給部と称することができる。
【０２１９】
提案される発明によると、透明または半透明なダストボックスにカバー部材が設けられ、カバー部材によって電線が本体端子に案内されるので、カバー部材が電線を遮ること
になってダストボックスの外部から電線が見えることが防止され得る。
【０２２０】
また、カバー部材に本体端子が支持されるので、前記ダストボックスの外部から本体端子が見えることが防止され得る。
【０２２１】
また、ハンドル部には、本体端子と連結されるハンドル端子が備えられ、ハンドル部は、スライディング方式によってカバー部材に結合される。したがって、前記ハンドル部がカバー部材に結合される過程で、本体端子とバッテリー端子が結合され得るという長所がある。
【０２２２】
また、本体端子が複数の結合リブに結合された状態が維持されるので、ハンドル端子が本体端子に結合される過程で本体端子の弛む現象が防止され、これに伴って、前記ハンドル端子と本体端子の誤組立が防止され得る。
【０２２３】
また、本体端子が端子支持部によって支持されるので、ハンドル端子が本体端子に結合される過程で本体端子の弛む現象が防止され、これに伴って、前記ハンドル端子と本体端子の誤組立が防止され得る。
【０２２４】
図２３は、本発明の他の実施例に係る掃除機の斜視図であり、図２４は、本発明の他の実施例に係る本体と吸入部の断面図である。
【０２２５】
本実施例において、以前の実施例と同じ機能をする構成に対しては同じ図面符号を使用する。
【０２２６】
図２３および図２４を参照すると、本発明の他の実施例に係る掃除機１ａは、本体２と、吸入部５およびハンドル部３とを含むことができる。
【０２２７】
前記本体２は、掃除機の外形を形成することができる。前記本体２は、第１ボディ１０と、前記第１ボディ１０の上側に位置する第２ボディ１２とを含むことができる。
【０２２８】
前記吸入部５は、前記第１ボディ１０に連結され得る。前記第１ボディ１０に連結される吸入部５が前記掃除機１の高さを基準に略中央に位置するように、前記第１ボディ１０の高さは前記第２ボディ１２の高さより高く形成され得る。
【０２２９】
前記本体２は、前記吸入部５を介して吸入された空気から埃を分離する埃分離部をさらに含むことができる。
【０２３０】
前記埃分離部は、一例としてサイクロン流動によって埃を分離できる第１サイクロン部１１０を含むことができる。
【０２３１】
このとき、前記第１ボディ１０が前記第１サイクロン部１１０を含むことができる。
【０２３２】
前記吸入部５を介して吸入される空気と埃は、前記第１サイクロン部１１０の内周面に沿って螺旋流動するようになる。
【０２３３】
前記第１部１１０のサイクロン流動の軸は、上下方向に延びることができる。
【０２３４】
前記埃分離部は、前記第１サイクロン部１１０から排出された空気から埃を再度分離する第２サイクロン部１３０をさらに含むことができる。前記第１ボディ１０は、前記各サイクロン部１１０、１３０で分離された埃を貯蔵するダストボックス１２０をさらに含
むことができる。すなわち、前記第１ボディ１０の上側部が第１サイクロン部１１０であり、前記第１ボディ１０の下側部が前記ダストボックス１２０であり、前記第１サイクロン部１１０と前記ダストボックス１２０は一体に形成され得る。
【０２３５】
前記本体２は、前記ダストボックス１２０の下側を開閉するダストボックスカバー１６ａをさらに含むことができる。前記ダストボックスカバー１６ａは、回転動作によって前記ダストボックス１２０を開閉することができる。
【０２３６】
前記ダストボックスカバー１６ａは、ヒンジ１６２ａを含み、前記ダストボックス１２０は、前記ヒンジ１６２ａが結合されるヒンジ結合部１７６を含むことができる。前記ヒンジ結合部１７６は、前記ダストボックス１２０から前記吸入部５と近い面に備えられ得る。
【０２３７】
前記ダストボックスカバー１６ａは、前記ダストボックス１２０との固定のための固定フック１６４ａをさらに含むことができる。
【０２３８】
前記固定フック１６４ａは、前記ダストボックスカバー１６ａで前記ヒンジ１６２ａの反対側に位置し得る。前記固定フック１６４ａは、前記ダストボックスカバー１６ａに対して弾性変形が可能であり得る。したがって、前記ヒンジ１６２ａと前記バッテリー４０との間に前記固定フック１６４ａが位置し得る。
【０２３９】
前記ダストボックス１２０には、前記固定フック１６４ａが係止されるための固定リブ１７８が備えられ得る。
【０２４０】
このとき、前記ダストボックス１２０には、前記固定フック１６４ａの一部が位置するための陥没部１７７が形成され、前記陥没部１７７に前記固定リブ１７８が備えられる。
【０２４１】
前記本体２は、前記第１ボディ１０内に位置するフィルタ部材１４０と、前記フィルタ部材の下側に連結される埃貯蔵ガイド１５０とをさらに含むことができる。
【０２４２】
前記フィルタ部材１４０は、前記第１ボディ１０内で前記第２サイクロン部１３０を囲むように配置され、前記第１サイクロン部１１０で埃と分離された空気を前記第２サイクロン部１３０に案内することができる。
【０２４３】
前記フィルタ部材１４０は、前記第１サイクロン部１１０から前記第２サイクロン部１３０に流動する空気をフィルタリングすることができる。このために前記フィルタ部材１４０は、空気が通過するための複数の空気孔１４２を含むことができる。
【０２４４】
前記フィルタ部材１４０は、前記第１ボディ１０と結合のための結合リブ１４４を含み、前記第１ボディ１０は、前記結合リブ１４４が収容されるリブ収容部１７１を含むことができる。一例として、前記リブ収容部１７１は前記第１サイクロン部１１０に備えられ得る。
【０２４５】
前記埃貯蔵ガイド１５０は、前記第２サイクロン部１３０で分離された埃を貯蔵することができる。
【０２４６】
前記埃貯蔵ガイド１５０は、前記ダストボックスカバー１６が前記ダストボックス１２０を閉じた状態で前記ダストボックスカバー１６の上面と接触し得る。
【０２４７】
前記埃貯蔵ガイド１５０は、前記第１ボディ１０内部の空間を、前記第１サイクロン部１１０で分離された埃が貯蔵される第１埃貯蔵部１２１と、前記第２サイクロン部１３０で分離された埃が貯蔵される第２埃貯蔵部１２３とに区画することができる。
【０２４８】
前記埃貯蔵ガイド１５０が形成する空間が前記第２埃貯蔵部１２３であり、前記埃貯蔵ガイド１５０と前記ダストボックス１２０との間の空間が第１埃貯蔵部１２１である。
【０２４９】
前記ダストボックスカバー１６ａは、前記第１埃貯蔵部１２１と前記第２埃貯蔵部１２３とを共に開閉することができる。
【０２５０】
前記掃除機１は、吸入力を発生するための吸入モータ２０と、前記吸入モータ２０に電源を供給するためのバッテリー（図４の４０参照）とをさらに含むことができる。
【０２５１】
前記吸入モータ２０は、前記第２ボディ１２内に位置し得る。そして、前記吸入モータ２０の少なくとも一部は、前記埃分離部の上側に位置し得る。したがって、前記吸入モータ２０は、前記第１ボディ１０の上方に位置する。
【０２５２】
前記ハンドル部３は、使用者の把持のためのハンドル３０と、前記ハンドル３０の下側に配置されるバッテリーハウジング６０とを含むことができる。前記ハンドル３０は、前記吸入モータ２０の後方に位置し得る。
【０２５３】
前記ハンドル３０は、上下方向に延び、使用者が把持できる第１延長部３１０と、前記第１延長部３１０の上側から前記吸入モータ２０に向かって延びる第２延長部３２０とを含むことができる。前記ハンドル３０は、操作ボタン３２６を含むことができる。
【０２５４】
一方、前記掃除機１は、前記吸入モータ２０を通った空気が排出される空気排出口５１を有するフィルタ機構５０をさらに含むことができる。
【０２５５】
前記フィルタ機構５０は、前記本体２の上側に分離可能に結合され得る。前記フィルタ機構５０が前記本体２に結合された状態で、前記フィルタ機構５０の一部は、前記第２ボディ１２の外側に位置する。したがって、前記フィルタ機構５０の一部は、前記本体２の上側開口を介して本体２内部に引き入れられ、他の一部は、前記本体２の外部に突出する。
【０２５６】
前記フィルタ機構５０が前記本体２に結合された状態で、前記フィルタ機構５０の上側に前記空気排出口５１が位置する。したがって、前記吸入モータ２０から排出された空気は、前記本体２の上方に排出される。
【０２５７】
前記掃除機１は、前記ダストボックスカバー１６ａの開閉を可能にするだけでなく、前記本体２から前記ダストボックス１２０が分離されるようにするために使用者が操作する操作部材１０００をさらに含むことができる。
【０２５８】
前記操作部材１０００は、一例として前記ハンドル部３に上下移動可能に連結され得る。前記操作部材１０００が前記ハンドル部３に連結された状態で、カバー部材７５が前記ハンドル部３に結合されて前記操作部材１０００をカバーすることができる。
【０２５９】
一例として、前記操作部材１０００を第１方向に操作すると、前記ダストボックスカバー１６ａが回転して前記ダストボックス１２０を開放させることができる。
【０２６０】
一方、前記操作部材１０００を第１方向と反対方向である第２方向に操作すると、前
記ダストボックスカバー１６ａが前記ダストボックス１２０を閉じた状態で、前記ダストボックス１２０が前記本体２から分離可能な状態になることができる。このとき、前記第１方向は前記操作部材１０００が下側に移動する方向であり、前記第２方向は前記操作部材１０００が上側に移動する方向である。
【０２６１】
以下では、前記操作部材１０００について具体的に説明する。
【０２６２】
図２５は、本発明の他の実施例に係る本体からハンドル部が分離された状態を示す斜視図であり、図２６は、ダストボックスと操作部材および稼動部材の構造を示す図面であり、図２７は、操作部材が中立位置に位置するときの操作部材と稼動部材の配置を示す断面図であり、図２８は、本発明の他の実施例に係るハンドル部の斜視図である。
【０２６３】
図２３ないし図２８を参照すると、前記掃除機１ａは、前記操作部材１０００が前記第２方向に移動するとき、前記操作部材１０００によって動く稼動部材１０３０をさらに含むことができる。
【０２６４】
前記操作部材１０００は、上下方向に延びる操作プレート１０１０をさらに含むことができる。前記操作プレート１０１０の一地点には、使用者が操作できる操作リブ１０１２が備えられ得る。
【０２６５】
前記ハンドル部３は、外形を形成するハンドルボディ３００を含むことができ、前記ハンドルボディ３００には、前記操作リブ１０１２が貫通するスロット３３０が形成され得る。
【０２６６】
前記操作リブ１０１２は、前記スロット３３０を貫通して前記ハンドル３０の第１延長部３１０に向かって延びることができる。
【０２６７】
前記操作部材１０００は、前記操作部材１０００の第１方向移動時、前記ダストボックスカバー１６ａの固定フック１６４ａと接触する第１接触部１０１３と、前記操作部材１０００の第２方向移動時、前記稼動部材１０３０と接触する第２接触部１０１４とを含むことができる。
【０２６８】
前記第２接触部１０１４は、前記操作プレート１０１０の下側に備えられ得る。前記第２接触部１０１４は、前記操作プレート１０１０から前記ハンドル部３に向かって延びることができる。
【０２６９】
前記第１接触部１０１３は、前記第２接触部１０１４の下面から下方に延びることができる。他の例として、前記第１接触部１０１３と前記第２接触部１０１４が上下方向に離隔した位置に配置されることも可能である。
【０２７０】
前記ダストボックスカバー１６ａの固定フック１６４ａの少なくとも一部は、前記第１接触部１０１３の移動経路上に位置し得る。したがって、前記操作部材１０００が第１方向に移動するとき、前記第１接触部１０１３が前記固定フック１６４ａと接触し得る。
【０２７１】
前記稼動部材１０３０は、前記第２接触部１０１４の上側に位置する接触ボディ１０３２と、前記接触ボディ１０３２の両側に位置する複数の係止部１０３３、１０３４とを含むことができる。
【０２７２】
前記複数の係止部１０３３、１０３４それぞれは、前記接触ボディ１０３２の両側から前記ダストボックス１２０に向かって延びることができる。
【０２７３】
そして、前記操作プレート１０１０は、前記複数の係止部１０３３、１０３４の間に位置し得る。
【０２７４】
前記ダストボックス１２０には、前記複数の係止部１０３３、１０３４それぞれが係止されるための複数の係止リブ１７９が備えられ得る。このとき、前記各係止部１０３３、１０３４は、前記各係止リブ１７９の下側で前記各係止リブ１７９に係止され得る。
【０２７５】
本実施例において、前記稼動部材１０３０と前記係止リブ１７９を前記ダストボックス１２０が前記本体２から分離されることを制限させるための制限機構と称することができる。
【０２７６】
したがって、前記各係止部１０３３、１０３４が前記各係止リブ１７９の下側に接触した状態で前記ダストボックス１２０の下方移動は制限される。
【０２７７】
前記稼動部材１０３０は、前記各係止部１０３３、１０３４の回転を可能にするためのシャフト１０３５をさらに含むことができる。前記シャフト１０３５は、前記各係止部１０３３、１０３４から遠ざかる方向に延びることができる。
【０２７８】
前記シャフト１０３５は、前記ハンドル部３に備えられるシャフト結合部３３８に回転可能に支持され得る。
【０２７９】
図２６を基準に前記シャフト１０３５は、前記接触ボディ１０３２より前記ダストボックス１２０に近く位置する。すなわち、前記シャフト１０３５と前記接触ボディ１０３２は、水平方向に離隔して配置される。そして、前記ダストボックス１２０と前記接触ボディ１０３２との間に前記操作プレート１０１０が位置する。
【０２８０】
したがって、前記操作部材１０００を第２方向に移動させると、前記第２接触部１０１４が前記接触ボディ１０３２を第２方向に移動させる。このとき、前記稼動部材１０３０はシャフト１０３５を含むので、前記シャフト１０３５によって前記接触ボディ１０３２の第２方向移動力は、前記稼動部材１０３０の回転力に転換される。
【０２８１】
したがって、前記稼動部材１０３０は、図２７を基準に反時計方向に回転することができ、前記係止部１０３３、１０３４が前記係止リブ１２９から離隔して前記係止部１０３３、１０３４と前記係止リブ１７９の係止は解除され得る。
【０２８２】
示されていないが、前記稼動部材１０３０は、弾性部材の弾性力の提供を受け得る。前記弾性部材は、一例として前記稼動部材１０３０が図２７を基準に時計方向に回転するようにする弾性力を前記稼動部材１０３０に提供することができる。
【０２８３】
このような弾性部材によると、前記係止部１０３３、１０３４が前記係止リブ１７９に接触した状態が維持され得る。
【０２８４】
前記弾性部材は、一例として前記シャフト１０３５と連結されるトーションスプリングや前記係止部１０３３、１０３４の上側で前記係止部１０３３、１０３４を加圧するコイルスプリングまたは板スプリングや前記係止部１０３３、１０３４の下側で前記係止部１０３３、１０３４を下側に引くコイルスプリングであり得る。本発明において、弾性部材の種類には制限がないことを明らかにする。
【０２８５】
前記掃除機１ａは、前記操作部材１０００が中立位置に位置するようにするための複
数の弾性部材をさらに含むことができる。
【０２８６】
前記複数の弾性部材は、前記操作部材１０００が第２方向に移動するようにするための第１弾性部材１０６０と、前記操作部材１０００が第１方向に移動するようにするための第２弾性部材１０６１とを含むことができる。
【０２８７】
前記二つの弾性部材１０６０、１０６１は、同じ構造に形成される。したがって、前記二つの弾性部材１０６０、１０６１によって前記操作部材１０００に外力が加えられない限り、前記操作部材１０００が中立位置に位置し得る。
【０２８８】
前記操作プレート１０１０には、前記第１弾性部材１０６０の上面が接触する第１上側支持部１０１６と、前記第２弾性部材１０６１の下面が接触する第２下側支持部１０１７とが備えられ得る。
【０２８９】
前記第１上側支持部１０１６と前記第２下側支持部１０１７は、前記操作プレート１０１０から水平方向に離隔するだけでなく上下方向に離隔し得る。
【０２９０】
前記各支持部１０１６、１０１７には、前記各弾性部材１０６０、１０６１の離脱を防止するための離脱防止突起１０１８が備えられ得る。
【０２９１】
前記ハンドルボディ３００は、前記第１弾性部材１０６０の下面を支持する第１下側支持部３３２と、前記第２弾性部材１０６１の上面が接触する第２上側支持部３３４とをさらに含むことができる。
【０２９２】
前記第１下側支持部３３２および前記第２上側支持部３３４は、前記ハンドルボディ３００から水平方向および上下方向にそれぞれ離隔して配置され得る。
【０２９３】
前記ハンドルボディ３００は、前記操作部材１０００と結合のための複数の結合フック３３６をさらに含むことができる。前記複数の結合フック３３６は、前記操作部材１０００の上下移動が可能に水平方向に離隔して配置され得る。
【０２９４】
前記操作部材１０００は、前記複数の結合フック３３６が結合されるための複数のフック結合部１０２０をさらに含むことができる。
【０２９５】
前記複数のフック結合部１０２０は、水平方向に離隔して配置される。前記複数のフック結合部１０２０それぞれは、前記結合フック３３６が貫通するフックスロット１０２１を含むことができる。
【０２９６】
前記フックスロット１０２１は、上下方向に長く形成され得る。したがって、前記結合フック３３６が前記フックスロット１０２１を貫通して前記フック結合部１０２０に結合された状態で、前記操作部材１０００は上下方向に移動できるようになる。
【０２９７】
一方、前記第１ボディ１０は、前記カバー部材７５と結合のためのカバー結合突起１７２をさらに含み、前記カバー部材７５は、前記カバー結合突起１７２を収容するための突起収容部７５８をさらに含むことができる。
【０２９８】
また、前記カバー部材７５は、前記ハンドルボディ３００に結合されるための締結部材が貫通する締結ボス７５６をさらに含むことができる。
【０２９９】
前記カバー部材７５は、前記ハンドルボディ３００に結合された状態で、前記稼動部
材１０３０の各係止部１０３３、１０３４が貫通するための開口７５４を含むことができる。
【０３００】
また、前記カバー部材７５は、前記ダストボックスカバー１６ａの固定フック１６４ａが位置するための収容空間７５２をさらに含むことができる。前記収容空間７５２に前記固定フック１６４ａが位置する場合、前記操作部材１０００が下方に移動するとき、前記第１接触部１０１３が前記固定フック１６４ａと接触できるようになる。
【０３０１】
以下では、前記操作部材１０００の操作によるダストボックスの開閉およびダストボックスの分離過程について説明する。
【０３０２】
図２９は、ダストボックスの開放のために操作部材が第１方向に移動した状態を示す断面図であり、図３０は、ダストボックスカバーが回転してダストボックスが開放された状態を示す図である。
【０３０３】
図２３ないし図３０を参照すると、前記ハンドル部３のスロット３３０を貫通した前記操作部材１０００の操作リブ１０１２を第１方向、一例として下方に加圧すると、前記操作部材１０００が下側に移動することができる。
【０３０４】
前記操作部材１０００が下側に移動すると、前記第１弾性部材１０６０は収縮され、前記第２弾性部材１０６１は引張される。
【０３０５】
そして、前記操作部材１０００が下側に移動すると、前記第１接触部１０１３が前記固定フック１６４ａの上側に接触した状態で、前記固定フック１６４ａを加圧するようになって前記ダストボックスカバー１６ａの固定フック１６４ａが前記ダストボックス１２０から遠ざかる方向に弾性変形される。すると、前記固定フック１６４ａと前記固定リブ１７８の係止が解除され、前記ダストボックスカバー１６ａが前記ヒンジ１６２ａを回転中心に図３０のように回転して前記ダストボックス１２０が開放される。
【０３０６】
このとき、前記第２接触部１０１４は、前記稼動部材１０３０の接触ボディ１０３２の下側に位置するので、前記操作部材１０００が下方に移動する過程では前記操作部材１０００の操作力が前記稼動部材１０３０に伝達されない。したがって、前記稼動部材１０３０の係止部１０３３、１０３４が前記係止リブ１７９に係止された状態が維持される。
【０３０７】
一方、使用者が前記操作リブ１０１２を操作する力を除去すると、前記操作部材１０００は、前記第１弾性部材１０６０の弾性力によって上昇するようになる。このとき、前記操作部材１０００は、前記各弾性部材１０６０、１０６１の弾性力が平衡をなす中立位置で停止するようになる。
【０３０８】
図３１および図３２は、ダストボックスの分離のために操作部材が第２方向に移動した状態を示す断面図であり、図３３は、ダストボックスが本体から分離された状態を示す図である。
【０３０９】
図２３ないし図２８、図３１ないし図３３を参照すると、前記ハンドル部３のスロット３３０を貫通した前記操作部材１０００の操作リブ１０１２を第２方向、一例として上方に持ち上げると、前記操作部材１０００が上側に移動することができる。
【０３１０】
前記操作部材１０００が上側に移動すると、前記第１弾性部材１０６０は引張され、前記第２弾性部材１０６１は収縮される。
【０３１１】
そして、前記操作部材１０００が上側に移動すると、前記第２接触部１０１４が前記稼動部材１０３０の接触ボディ１０３２の下側で前記接触ボディ１０３２を持ち上げる。
【０３１２】
すると、前記稼動部材１０３０は、前記シャフト１０３５を中心に図面上の反時計方向に回転し、前記係止部１０３３、１０３４が前記係止リブ１７９から離隔して前記係止部１０３３、１０３４と前記係止リブ１７９の係止は解除され得る。
【０３１３】
この状態で、使用者は、ダストボックス１２０を下方に引きながら前記ダストボックス１２０が前記ハンドル部３から遠ざかるように前記ダストボックス１２０を図面上の時計方向に回転させる。
【０３１４】
すると、前記第１ボディ１０のカバー結合突起１７２が前記カバー部材７５の突起収容部７５８から抜け、前記結合リブ１４４が前記リブ収容部１７１から抜けて、前記ダストボックス１２０が前記本体２から分離され得る。
【０３１５】
このとき、前記吸入部５が前記第１ボディ１０に連結された状態および前記ダストボックスカバー１６ａが前記ダストボックス１２０を閉じた状態で、前記第１ボディ１０が本体２から分離され得る。
【０３１６】
前記ダストボックス１２０が前記本体２から分離されると、前記第２サイクロン部１３０を囲む前記フィルタ部材１４０が外部に露出し得、使用者が前記フィルタ部材１４０を容易に清掃することができる。
【０３１７】
提案される発明によると、単一の操作部材を用いてダストボックスの開閉およびダストボックスの分離が可能に使用者の便宜性が向上し、構造が簡単になるという長所がある。
【図１】
2020127806.tif 000003
【図２】
2020127806.tif 000004
【図３】
2020127806.tif 000005
【図４】
2020127806.tif 000006
【図５】
2020127806.tif 000007
【図６】
2020127806.tif 000008
【図７】
2020127806.tif 000009
【図８】
2020127806.tif 000010
【図９】
2020127806.tif 000011
【図１０】
2020127806.tif 000012
【図１１】
2020127806.tif 000013
【図１２】
2020127806.tif 000014
【図１３】
2020127806.tif 000015
【図１４】
2020127806.tif 000016
【図１５】
2020127806.tif 000017
【図１６】
2020127806.tif 000018
【図１７】
2020127806.tif 000019
【図１８】
2020127806.tif 000020
【図１９】
2020127806.tif 000021
【図２０】
2020127806.tif 000022
【図２１】
2020127806.tif 000023
【図２２】
2020127806.tif 000024
【図２３】
2020127806.tif 000025
【図２４】
2020127806.tif 000026
【図２５】
2020127806.tif 000027
【図２６】
2020127806.tif 000028
【図２７】
2020127806.tif 000029
【図２８】
2020127806.tif 000030
【図２９】
2020127806.tif 000031
【図３０】
2020127806.tif 000032
【図３１】
2020127806.tif 000033
【図３２】
2020127806.tif 000034
【図３３】
2020127806.tif 000035